(57)【要約】【課題】ポケットに対する固定手段を持たないウエイトを使用可能であり、ウエイトをポケットから引き出すことが容易な浮力調整器。【解決手段】浮力調整器のジャケットがウエイト５１を挿入可能なポケット２９と、フラップ２３とを有する。ポケット２９の外面には第１ロック部材４１が取り付けられ、フラップ２３の外面には第１ロック部材４１に係合可能な第２ロック部材４２が取り付けられる。第２ロック部材４２は、第１ロック部材４１の溝６２，６３へ進入可能な一対の弾性アーム７３，７４と、これら弾性アーム７３，７４間へ進入して弾性アーム７３，７４の変形を阻止可能なストッパー手段７８とを有する。ポケット２９へ挿入したウエイト５１は、第１ロック部材４１とストッパー手段７８との間からポケット２９の外へ延びることが可能な帯片５３を有する。【選択図】図５
2005112147.tif 000002
【特許請求の範囲】
【請求項１】
浮力調整機能を有するジャケットが前記ジャケット着用者の胴周り方向へ延びる部分に前記ジャケットの前方寄りで開口するポケットと、前記ジャケットの前方から後方へ向かう方向へ延びて前記開口を開閉可能なフラップとを有し、前記ポケットには浮力調整用ウエイトが取り出し可能に挿入される浮力調整器において、
前記ウエイトは、そのウエイトが前記ポケットに挿入された状態において、前記ポケットの開口から延出して前記胴周り方向の後方へ向かって折り返されると前記開口を閉じた前記フラップよりもさらに後方へ延びる長さの取り出し用帯片を有し、
前記ジャケットは、前記ポケットの外面に第１ロック部材を有する一方、前記フラップの外面に前記第１ロック部材に対して離脱可能に係合する第２ロック部材を有し、
前記第１ロック部材は、折り返された前記帯片の幅方向両側それぞれに位置して前記帯片に沿って前記前方から前記後方へ向かって延びる一対の溝を有し、前記溝は、それぞれの長さ方向へ延びる開口部と底部とが前記溝どうしの間で前記幅方向において対向するように配置されており、前記後方へ向かって延びた前記底部の先端部分の先には前記底部どうしの間隔よりも前記幅方向へ大きく広がる拡幅部位が形成され、
前記第２ロック部材は、前記開口を閉じた状態にある前記フラップにおいて、前記前方から前記後方へ向かって延び、前記溝のそれぞれに退出可能に前記前方から進入する一対の弾性アームと、一対の前記弾性アーム間において前記前方から前記後方へ向かう方向と、前記後方から前記前方へ向かう方向とに移動可能なストッパー手段を有し、一対の前記弾性アームは前記幅方向における離間寸法が前記帯片の幅よりも大きく形成され、前記弾性アームそれぞれの先端部には、前記弾性アームが前記溝に進入すると前記幅方向において前記底部に圧接して前記離間寸法を小さくするように前記弾性アームを互いに接近する方向へ変形させることが可能であって、前記底部の前記先端部分を越えると前記第１ロック部材の前記拡幅部位に到達して前記離間寸法が大きくなるように前記弾性アームを復帰する方向へ変形させることが可能な前記幅方向外側への突起部が形成され、
前記ストッパー手段は、前記後方へ移動すると、前記拡幅部位に進入している前記アームの先端部近傍に位置して、互いに接近する方向へ変形しようとする一対の前記弾性アームが当接する幅を有し、かかる当接によって、前記突起部の前記拡幅部位からの離脱を阻止して前記第１ロック部材と前記第２ロック部材とをロック状態にすることが可能に形成されていることを特徴とする前記浮力調整器。
【請求項２】
前記後方へ向かって折り返された前記帯片の先端部分は、前記第１ロック部材に係合した前記第２ロック部材において前記後方へ向かって移動している前記ストッパーよりもさらに後方に位置しており、前記先端部分の向きを反転させて前記帯片を前記前方へ引張ると、前記帯片が前記ストッパーを前記前方へ移動させ、それに続いて前記第２ロック部材を前記第１ロック部材から離脱させることが可能な請求項１記載の浮力調整器。
【発明の詳細な説明】
【技術分野】
【０００１】
この発明は、ダイバーが使用する浮力調整器に関し、より詳しくは浮力調整用のウエイトを有する浮力調整器に関する。
【背景技術】
【０００２】
米国特許第５，６４１，２４７（特許文献１）には、ウエイトを挿入、挿抜可能なポケットを有する浮力調整器が開示されている。ポケットの外面には、フック部材とループ部材とからなるメカニカルファスナのフック部材が取り付けられており、ウエイトを封入した袋には、その袋をポケットに挿入したときにポケットから延出するフラップが形成されており、そのフラップを折り返すとポケットのループ部材と当接する面にはループ部材が取り付けられている。フラップをポケットの外面に対して押圧すると、フック部材とループ部材とが係合するので、ウエイトをポケットから引き出すことができる。
【特許文献１】米国特許第５，６４１，２４７
【発明の開示】
【発明が解決しようとする課題】
【０００３】
特許文献１の浮力調整器は、ウエイトをポケットに保持しておくことと、ウエイトをポケットから引き出すこととが簡単であるという利点を有する反面、ポケットに挿入できるウエイトは、フラップに取り付けられたループ部材の如き、ポケットに対する固定手段を有するものに限られる。
【０００４】
この発明が課題とするのは、ポケットに対する固定手段を持たないウエイトでも使用可能であり、しかもウエイトをポケットから引き出すことが容易な浮力調整器の提供である。
【課題を解決するための手段および発明の効果】
【０００５】
前記課題解決のために、この発明が対象とするのは、浮力調整機能を有するジャケットが前記ジャケット着用者の胴周り方向へ延びる部分に前記ジャケットの前方寄りで開口するポケットと、前記ジャケットの前方から後方へ向かう方向へ延びて前記開口を開閉可能なフラップとを有し、前記ポケットには浮力調整用ウエイトが取り出し可能に挿入される浮力調整器である。
【０００６】
かかる浮力調整器において、この発明が特徴とするところは、次のとおりである。前記ウエイトは、そのウエイトが前記ポケットに挿入された状態において、前記ポケットの開口から延出して前記胴周り方向の後方へ向かって折り返されると前記開口を閉じた前記フラップよりもさらに後方へ延びる長さの取り出し用帯片を有する。前記ジャケットは、前記ポケットの外面に第１ロック部材を有する一方、前記フラップの外面に前記第１ロック部材に対して離脱可能に係合する第２ロック部材を有する。前記第１ロック部材は、折り返された前記帯片の幅方向両側それぞれに位置して前記帯片に沿って前記前方から前記後方へ向かって延びる一対の溝を有し、前記溝は、それぞれの長さ方向へ延びる開口部と底部とが前記溝どうしの間で前記幅方向において対向するように配置されており、前記後方へ向かって延びた前記底部の先端部分の先には前記底部どうしの間隔よりも前記幅方向へ大きく広がる拡幅部位が形成されている。前記第２ロック部材は、前記開口を閉じた状態にある前記フラップにおいて、前記前方から前記後方へ向かって延び、前記溝のそれぞれに退出可能に前記前方から進入する一対の弾性アームと、一対の前記弾性アーム間において前記前方から前記後方へ向かう方向と、前記後方から前記前方へ向かう方向とに移動可能なストッパー手段を有する。一対の前記弾性アームは前記幅方向における離間寸法が前記帯片の幅よりも大きく形成され、前記弾性アームそれぞれの先端部には、前記弾性アームが前記溝に進入すると前記幅方向において前記底部に圧接して前記離間寸法を小さくするように前記弾性アームを互いに接近する方向へ変形させることが可能であって、前記底部の前記先端部分を越えると前記第１ロック部材の前記拡幅部位に到達して前記離間寸法が大きくなるように前記弾性アームを復帰する方向へ変形させることが可能な前記幅方向外側への突起部が形成されている。前記ストッパー手段は、前記後方へ移動すると、前記拡幅部位に進入している前記アームの先端部近傍に位置して、互いに接近する方向へ変形しようとする一対の前記弾性アームが当接する幅を有し、かかる当接によって、前記突起部の前記拡幅部位からの離脱を阻止して前記第１ロック部材と前記第２ロック部材とをロック状態にすることが可能に形成されている。
【０００７】
このように構成される浮力調整器では、ポケットにウエイトを挿入した後にフラップを閉じて第１ロック部材と第２ロック部材とをストッパー手段を使用してロック状態にすれば、ウエイトはポケットの外へ出ることがない。ウエイトをポケットから引き出すには、ストッパー手段を手動操作で胴周り方向の前方へ移動させてフラップを開けばよい。
【０００８】
この発明の好ましい実施態様において、前記後方へ向かって折り返された前記帯片の先端部分は、前記第１ロック部材に係合した前記第２ロック部材において前記後方へ向かって移動している前記ストッパーよりもさらに前記後方に位置しており、前記先端部分の向きを反転させて前記帯片を前記前方へ引張ると、前記帯片が前記ストッパーを前記前方へ移動させ、それに続いて前記第２ロック部材を前記第１ロック部材から離脱させることが可能である。
【０００９】
かような態様の浮力調整器では、ウエイトに設けられた帯片を引張ることによって、ストッパー手段を含む第２ロック部材の全体を前方へ移動させてフラップを開け、ウエイトをポケットから引き出すことができる。
【発明を実施するための最良の形態】
【００１０】
添付の図面を参照して、この発明に係る浮力調整器の詳細を説明すると、以下のとおりである。
【００１１】
図１に示された浮力調整器１は、ジャケット２、ジャケット２の背側に取り付けられたハーネス３、仮想線で示されたエアボンベ４に取り付けられる減圧弁６、減圧弁６からマウスピース７へ延びるエアホース８、マウスピース７からジャケット２の肩部へ延びるエアホース９等を有する。ジャケット２は、背当て部１１と、ショルダー部１２と、左胴周り部１３と、右胴周り部１４とを有し、ショルダー部１２にはショルダーベルト１６が取り付けられ、左右胴周り部１３，１４にはウエストベルト１７，１８と、雌雄のファスナ２１，２２とが取り付けられている。左右の胴周り部１３，１４は、ウエストベルト１７，１８と雌雄のファスナ２１，２２の詳細構造を除くとほぼ同じように形成されている。図では左胴周り部１３については外面側が示されており、右胴周り部１４については内面側が示されている。左胴周り部１３では、ウエイト挿入用ポケット２９の開口３０がフラップ２３によって閉じられ、そのフラップ２３がロック部材２６によって徒に開くことがないようにロックされている。
【００１２】
かような浮力調整器１は、ジャケット２を身に着けたなら、ウエストベルト１７，１８をそれらの先端部に取り付けられているメカニカルファスナ３１，３２を使用して連結し、さらに雌雄のファスナ２１，２２を連結する。ジャケット２は、ハーネス３に取り付けられたボンベ４からのエアをエアホース８，９から供給して浮力を調整する。
【００１３】
図２，３は、図１の部分拡大図と、図２のＩＩＩ−ＩＩＩ線断面図とであって、図２では第１ロック部材４１の一部分が破断して示され、また構造の理解を容易にするためにウエイト５１が仮想線で示されている。ジャケット２の左胴周り部１３には、ウエイト５１を挿入するポケット２９と、そのポケット２９の開口３０を開閉することができるフラップ２３とが形成されている。ポケット２９は左胴周り部１３の前方から後方へ向かって延びるように形成されており、ポケット２９の外面には、前方寄りの部分にロック部材２６の一部を形成する第１ロック部材４１が取り付けられている。フラップ２３は、ポケット２９の開口３０を閉じることができるように、前方から後方へ向かって延びており、開口３０を閉じたときの外面にはロック部材２６の一部を形成する第２ロック部材４２が取り付けられている。図２，３において第１、第２ロック部材４１，４２は互いに係合してロック状態にあり、そのロック状態を解かなければフラップ２３は開くことがない。ポケット２９に挿入されたウエイト５１は、ウエイト本体５２と、ウエイト本体５２に取り付けられた帯片５３とを有する。帯片５３は、ポケット２９の外面の切り欠き部５４（図５，６参照）から、第１、第２ロック部材４１，４２の間を通ってポケット２９の外に出て、後方へ向かって延びている。延びた先端部分にはグリップ５５が取り付けられている。
【００１４】
図４は、ウエイト５１の平面図である。ウエイト本体５２は、金属塊（図示せず）を布地で被覆したもので、その布地には合成繊維の帯片５３の一端部が縫い付けられている。帯片５３は幅Ｗを有し、その長さは図３の如く、ポケット２９の切り欠き部５４から外へ出て後方へ延び得るように調整されている。
【００１５】
図５，６は、第２ロック部材４２が第１ロック部材４１から離脱しているときの図２，３と同様な図であって、図５の一部分は破断して示されている。
【００１６】
図７，８は、図５のＶＩＩ−ＶＩＩ線とＶＩＩＩ−ＶＩＩＩ線に沿う第１ロック部材４１の端面を示す図であるが、第２ロック部材４２の一部分が仮想線で示されている。
【００１７】
図５〜８において、第１ロック部材４１は、その周縁部６１が縫合等の手段によってポケット２９の外面に固定されている。図５において、第１ロック部材４１は、横向きのＵ字形を呈しており、ジャケット２の上下方向である図５の上下方向において対向し、かつ、ジャケット２の胴周り方向である図の左右方向へ延びる一対のガイド溝６２，６３を有する（図７，８を併せて参照）。これらのガイド溝６２，６３は、それらの長さ方向へ延びる開口部６８，６９どうしが第１ロック部材４１の幅方向において対向するように配置されている。底部６６と６７とは、寸法Ｐだけ離間しており、ジャケット２の胴周り方向の後方へ延びた先端部分８１と８２との先では底部６６，６７が寸法Ｐよりも大きく離間して第２の底部６６ａ，６７ａとなって拡幅部位８３，８４を形成している。図５のＶＩＩ−ＶＩＩ線は底部６６，６７を横断しており、ＶＩＩＩ−ＶＩＩＩ線は第２の底部６６ａ，６７ａを横断している。ポケット２９の切り欠き部５４は、その幅が寸法Ｑであり、この切り欠き部５４においては、ポケット２９の縁部と第１ロック部材４１の縁部とが、ほぼ一致している。
【００１８】
第２ロック部材４２は、第１ロック部材４１に対する挿入部材７７と、挿入部材７７に対して胴周りの前後方向（図５の左右方向）に摺動可能に取り付けられているストッパー７８とを有する。挿入部材７７は縁部７６が縫合等によってフラップ２３に固定され、互いに平行して胴周りの後方へ延びる一対の弾性アーム７３，７４を有する。図６から明らかなように、挿入部材７７は、頂部９２と、底部９３と、これら両部９２，９３によって画成される中空のストッパー案内部９４を有し、底部９３には透孔９６が形成されている。弾性アーム７３，７４のそれぞれは、第１ロック部材のガイド溝６２，６３へ胴周り方向から進入、退出可能に形成されており、先端部には第２ロック部材４２の幅方向外側へ突出する突起部９７，９８を有する。これら両突起部９７，９８における頂部間の寸法Ｒは、第１ロック部材４１におけるガイド溝６２，６３の底部６６，６７の離間寸法Ｐよりも大きい。ストッパー７８は、ストッパー案内部９４に案内されて第１ロック部材４１へ向かう方向とその反対方向とに移動可能であって、右端部にはアーム当接部１０１を有し、左端部には摘持部１０２を有する。アーム当接部１０１は幅方向の寸法Ｓを有し、この寸法Ｓは、弾性アーム７３，７４の先端部の内寸Ｔとほぼ同じであるか、または内寸Ｔよりも僅かに大きい。ストッパー７８は、そのアーム当接部１０１が図５に示されるように弾性アーム７３，７４の先端部から離れて左方に寄っているときには、弾性アーム７３，７４がストッパー７８に邪魔されることなく互いに接近するように弾性変形可能である。この状態にある第２ロック部材４２は、予めポケット２９に入れたウエイト５１の帯片５３をポケット２９の切り欠き部５４から出して胴周りの後方へ向けて折り返しておいて、一対の弾性アーム７３，７４を第１ロック部材４１のガイド溝６２，６３へ進入させる。弾性アーム７３，７４は、突起部９７，９８がガイド溝６２，６３の底部６６，６７に当接するので互いに接近する方向へ弾性変形して寸法Ｒが小さくなる。弾性アーム７３，７４をさらに進入させると、突起部９７，９８が底部６６，６７の先端部分８１，８２を超えて、その先の拡幅部位８３，８４へ進入し、それと同時に第１、第２ロック部材４１，４２の前面部どうしが図２の如く当接する。拡幅部位８３，８４では突起部９７，９８が底部６６，６７に対する当接から解放されるので、弾性アーム７３，７４は、互いに離間する方向へ、つまり、図５の状態に復帰する方向へ弾性的に移動する。次にストッパー７８の摘持部１０２を押して、ストッパー７８を弾性アーム７３，７４の間へ進入させると、ストッパー７８の当接部１０１が、図２，８に示されるように、弾性アーム７３，７４の先端部と先端部との間に入る。ストッパー７８がこの状態にあるときに、弾性アーム７３，７４は拡幅部位８３，８４から離脱するように互いに接近する方向へ動こうとすると、ストッパー７８の当接部１０１に当接して、その動きが阻止される。それゆえ、第２ロック部材４２は、第１ロック部材４１に対してロックされた状態にある。このときのストッパー７８は、Ｖ字形に曲げられて弾性変形可能なラッチ部１０６が挿入部材７７の透孔９６に納まっているので（図３参照）、ロックが解除される方向へ簡単に動くことはない。
【００１９】
第２ロック部材４２の第１ロック部材４１に対するロック状態を解くには、図３の帯片５３を折り返して、図３、６に示された矢印Ａ方向へ引張ればよい。帯片５３は、矢印Ａ方向へ引張られると、ポケット２９の切り欠き部５４においてストッパー７８の当接部１０１を押して、ラッチ部１０６が透孔９６から離脱するようにストッパー７８を移動させる。そのストッパー７８は、図５、６に示されるように、第２ロック部材４２の挿入部材７７に当接して、これを第１ロック部材４１から離間する方向へ移動させる。そのときに、アーム７３，７４は突起部９７，９８がガイド溝６２，６３の底部６６，６７近傍に胴周りの後方から圧接して、互いに接近する方向へ、即ち突起部９７，９８が拡幅部位８３，８４から離脱する方向へ弾性変形する。このようにして第２ロック部材４２は、第１ロック部材４１に対するロック状態から解放される。
【００２０】
ウエイト５１は、帯片５３をさらに続けて矢印Ａ方向へ引張ると、フラップ２３が図５の仮想線の如くに延びて、ポケット２９の開口３０が完全に開くので、ウエイト５１をポケット２９からスムーズに引き出すことができる。
【００２１】
この発明に係る浮力調整器１では、図示例の如くポケット２９の開口３０をフラップ２３を使用して閉じるから、ポケット２９に挿入可能なウエイトであればどのようなものでも使用できる。また、そのウエイトに帯片５３を設けるならば、その帯片５３を使用してフラップ２３とポケット２９とにおけるロック部材のロック状態を解くことができるばかりでなく、それに続く一連の作業としてフラップ２３を開き、ウエイト５１をポケットから引き出すことができる。図示例において左胴周り部１３に設けたロック部材２６は、右胴周り部１４に設けることもできる。
【産業上の利用可能性】
【００２２】
この発明によれば種々のウエイトを使用することが可能であり、ウエイトをポケットから引き出すことが容易な浮力調整器の生産が可能になる。
【図面の簡単な説明】
【００２３】
【図１】浮力調整器の正面図。
【図２】図１の部分拡大図。
【図３】図２のＩＩＩ−ＩＩＩ線断面図。
【図４】ウエイトの平面図。
【図５】ロックが解除されている浮力調整器の図２と同様な図。
【図６】ロックが解除されているときの浮力調整器の図３と同様な図。
【図７】図５のＶＩＩ−ＶＩＩ線切断面を示す図。
【図８】図５のＶＩＩＩ−ＶＩＩＩ線切断面を示す図。
【符号の説明】
【００２４】
１    浮力調整器
２    ジャケット
２３    フラップ
２９    ポケット
３０    開口
４１    第１ロック部材
４２    第２ロック部材
５１    ウエイト
５３    帯片
６２    溝
６３    溝
６６    底部
６７    底部
６８    開口部
６９    開口部
７３    弾性アーム
７４    弾性アーム
７８    ストッパー手段
８１    先端部分
８２    先端部分
８３    拡幅部位
８４    拡幅部位
９７    突起部
９８    突起部
Ｓ    幅
Ｔ    離間寸法
Ｗ    幅
【図１】
2005112147.tif 000003
【図２】
2005112147.tif 000004
【図３】
2005112147.tif 000005
【図４】
2005112147.tif 000006
【図５】
2005112147.tif 000007
【図６】
2005112147.tif 000008
【図７】
2005112147.tif 000009
【図８】
2005112147.tif 000010